(57)【要約】      （修正有）【課題】筆記された文字等を熱により消去又は変色させるための発熱器具において、細かな部分についても消去又は変色させることが容易で、かつ作業部分が見え易い発熱機具を提供する。【解決手段】発熱器具１は、熱を付与する為に筆記された部分に当てる先端部２をヒーター線そのものとし、空間Ｐが形成されるように折り曲げて構成する。空間Ｐを構成するヒーターは、熱を付与すべき部分の大きさに適宜対応すべく、最先端部分の短直線部２ａと、この短直線部２ａの一方端部と連続して所定角度で折り曲げて設けた中直線部２ｂと、該短直線部２ｂの他方端部と連続して所定角度で折り曲げて設けた長直線部２ｃとを、同一平面内に有するように構成する。一方、胴体部３には、押しボタンスイッチを設け、例えば、指で押している間、ヒーターに流す電流の電源となる内蔵の電池からの電流が流れ、離すと切れる様に構成する。【選択図】図２
0003161302.tif 000002
【実用新案登録請求の範囲】
【請求項１】
熱により透明又は色変色するインクを用いた筆記具の該熱を付与する発熱器具において、熱を付与するために筆記された部分にあてる先端部を備え、この先端部が空間を成形するようにヒーター線そのものを折り曲げて構成されていることを特徴とする発熱器具。
【請求項２】
先端部のヒーター線が、長さの違う複数の直線部を有するように折り曲げられている事を特徴とする請求項１記載の発熱器具。
【考案の詳細な説明】
【技術分野】
【０００１】  本考案は、熱により透明又は色変化するインクを用いた筆記具の該熱を付与する発熱器具にかかり、特に細かい部分の消去又は変色が可能で、しかも消去又は変色させる部分が見やすい変色筆記具用発熱器具に、透明又は無色化の意味を含むこととする。
【背景技術】
【０００２】  従来、熱がかかることにより、色変化する顔料又は染料を使用した筆記具（以下、変色筆記具という）が製品化されている。この変色筆記具において変色させるべく熱を加えるには、専用の発熱器具自体の発熱によって、あるいは摩擦体で筆記部分を擦ることによる発熱によって、行われている。こうした変色筆記具に関する技術としては以下の特許文献１〜５が存在した。
【先行技術文献】
【特許文献】
【０００３】
【特許文献１】特開平４−３２９９９３
【特許文献２】特開平５−３１８９１５
【特許文献３】特開平６−１０５９６５
【特許文献４】特開２０１０−０１８６９５
【特許文献５】特開２０１０−０５９２５６
【０００４】  特許文献１では、通電発熱体により発熱した熱を伝熱性部材を通してペン先部に熱を伝え、可逆熱変色層に熱を与え色変化させて筆記する事ができるだけでなく、通電冷却具による変色させる事が、特許文献３では、それらを組み合わせ、加熱要素と冷却要素を持ち、それらの組み合わせで筆跡と消去を繰り返しできる事が、各々示されており、該ペン先部は先端に平坦面を有するかあるいは先端が半球状とされた棒状の形状とされている。特許文献２では印加電流の極性の逆転により、冷却、加熱両方ができる変色具が示されており、変色具の変色させる部位の形状としては比較的広い面積の平坦面を有するものとされている。特許文献１〜３はいずれも、ヒーター部分から伝熱性部材を返しているため、細い形状とすることができず、一定面積を必要とした形状になっていた。【０００５】  特許文献４及び特許文献５では、筆記具に、例えばゴムなどでなる摩擦体を装着してあり、それを用いた摩擦熱を発生させて文字の消去又は変色を行うことが示されており、摩擦体の具体的な形状の記載はないが、摩擦熱を発生させる必要から、接触面積が過剰に広いと摩擦熱を発生させにくく、過剰に狭いと（擦るなどの摩擦熱発生操作で）紙面を破る可能性があるため、先端が半球状とされた棒状の形状と予想される。【０００６】  しかしながら、特許文献１〜３の通電により発熱させる発熱器具ではそのヒーター及び伝熱性部材の部分が面となっているので、細かな部分について変色させようとしても、その部分は面積があるため余分な部分にも及んでしまい細かな部分を消去又は変色させようとしてもできなかった。【０００７】  さらに、特許文献１〜３の発熱器具はヒーター及び伝熱性部材の部分が面になっているため、これから消去又は変色させようとする部分がそのヒーター及び伝熱性部材で見えにくい状態のまま作業をしなければならず、細かい部分を変色させることが非常に困難であった。【０００８】  一方、特許文献４，５の摩擦体は、非常に簡便で容易な方法ではあるが、摩擦体によって比較的容易に熱を発生させるには該摩擦体に狭すぎずかつ広すぎないある程度の面積が必要となる。そして、摩擦体を熱が発生するように速くかつ何度も擦るなどする必要があり、この何度も擦る動作において、面積の小さい細かな部分を変色させる際には、細かい部分を何度も擦るのが非常に困難であると共に、余分な部分まで変色させたりする可能性も高く、不向きであった。さらに特許文献４，５の摩擦体は、非常に大きな面積について、変色させようとした場合、大きな面積を摩擦しなければならず、手間と時間が掛かり面倒であると共に、従来の発熱器具と同様に、棒状の先端で隠れる部分が生じて見にくく、細かい部分を変色させることが非常に困難であった。
【考案の概要】
【考案が解決しようとする課題】
【０００９】  本考案により解決しようとする問題点は、従来の発熱器具及び摩擦体では、面積の小さい細かい部分を変色させることが困難である点、及び熱を発生させる先端部位により変色させようとする部分が隠れてしまって見にくく使いにくい点、並びに発熱器具と摩擦体をそれぞれ組み合わせて、すなわち摩擦体の棒状の先端形状を発熱器具の発熱部分の形状に適応したとしても、発熱部分で変色させようとする部分が隠れる点を補う事ができない点である。
【課題を解決するための手段】
【００１０】  上記問題を解決するために、本考案の変色筆記具用発熱具は、熱を付与するために筆記された部分に当てる先端部を備え、この先端部が空間を形成するようにヒーター線そのものを折り曲げて構成したことを主な構成とする。
【考案の効果】
【００１１】  本考案の変色筆記具用発熱器具は、ヒーター線そのものを、空間が形成されるように折り曲げているから、例えば折り曲げた角部分で細かな部分についての消去又は変色をすることができ、また折り曲げた角部分以外の例えば直線部分で大きな面積についての消去又は変色をする事ができる様になる。【００１２】  さらに、本考案の変色筆記具用発熱器具は、押し当てる先端部にはヒーター線を折り曲げることで形成される空間によって、これから消去又は変色させようとする被写体部分が見やすく、作業が楽にできる特長をも有している。
【図面の簡単な説明】
【００１３】
【図１】図１は本考案の変色筆記具用発熱器具の全体概略図である。（実施例１）
【図２】図２は本考案の変色筆記具用発熱器具の先端部分拡大図である。（実施例１）
【図３】図３は本考案の変色筆記具用発熱器具の他の形状を示した図である。（実施例２）
【図４】図４は本考案の変色筆記具用発熱器具のさらに他の形状を示した図面である。（実施例３）
【考案を実施するための形態】
【００１４】  本考案の発熱器具は以下の形態で実施可能である。なお、以下、図１〜図４に示す実施例１〜３において、本考案の変色筆記具用発熱器具は、その特徴が先端の発熱部位の形状に関するので、内部の発熱構造等の詳細説明及び図示は省略する。また、実施例２，３に付いては実施例１と異なる構成についてのみ参照符号を代えて説明し、重複する構成は同参照符号として説明を省略する。
【実施例１】
【００１５】  図１及び図２に示す実施例１における変色筆記具用発熱器具１（以下、発熱器具１と記す）は、全体の形状は持ちやすいように細長いペン型形状となっており、先端部２と胴体部３とからなる。先端部２には例えば実施例１では、０．７ｍｍ直径のニクロム線でなる線型のヒーター２Ａが設けられている。ヒーター２Ａは前述のとおりニクロム線そのものであり、胴体部３の先端面における２箇所（プラス極とマイナス極）から突出され、突出した部分は電気的に導通させる必要があることから当然ながら連続し、空間Ｐを形成している。本実施例１では、空間Ｐを構成するヒーター２Ａは、例えば、最先端部分の短直線部２ａと、この短直線部２ａの一方端部と連続して所定角度で折り曲げて設けた中直線部２ｂと、該短直線部２ｂの他方端部と連続して所定角度で折り曲げて設けた長直線部２ｃとを、実施例１では同一平面内に有するように構成している。一方、胴体部３には、押しボタンスイッチ３ａが設けられている。押しボタンスイッチ３ａは、例えば、指で押している間、ヒーター２Ａに流す電流の電源となる内蔵の電池からの電流が流れ、ヒーター２Ａが発熱し、押しボタンスイッチ３ａを押さないと電流は流れず、ヒーター２Ａは発熱しない。【００１６】  作業者は発熱器具１の胴体部３を鉛筆を持つように指で挟み持って、変色（無色化あるいは透明化も含む）させようとする対象の筆記された部分に、その変色させようとする面積に応じて先端部２のヒーター２Ａのうちの、短直線部２ａ、中直線部２ｂ長直線部２ｃどれかの直線部分を当て、胴体部３の押しボタンスイッチ３ａを押す。押しボタンスイッチ３ａを押している間だけは、電流が流れ、ヒーター２Ａが即座に発熱し、ヒーター２Ａが当たっている筆記された部分が変色する。押しボタンスイッチ３ａを押したまま、発熱器具１を筆記された部分に沿ってスライドさせると、その移動させた軌跡に沿って、消去又は変色する。【００１７】  例えばこのとき、一番小さい直線部分である短直線部２ａを筆記された部分に当てておけば、細かな部分に対して、きめの細かい変色ができ、一方、長い直線部分である長直線部２ｃを筆記された部分に当てて、スライドさせてやれば、大きな面積の変色を行う事ができる。また、短直線部２ａと、中直線部２ｂ又は長直線部２ｃと、の折り曲げ部を筆記された部分に当てれば、点状での変色が可能である。【００１８】  実施例１においては、ヒーター２Ａとして、０．７ｍｍ直径のニクロム線を使用しているが、これは、先端部２にはいわゆる筆圧相当の加重が掛かるために、それに耐えてヒーター２Ａの形状を維持するだけの強度が必要となる。直径があまりにも細いと加重に負けて変形してしまい、逆にあまり太い線材を使用した場合、抵抗値が少なくなり発熱しにくくなる。【００１９】  また、ヒーター２Ａとする材料に関しては、実施例１ではニクロム線を使用したが、電流により発熱するような線材でかつ適当な径であれば筆圧相当の荷重下で形状を維持しうる材料であれば、これに限定する物ではない。【００２０】  さらに、ヒーター２Ａとして採用したニクロム線の断面は、一般的な円形の物を使用したが、本考案でする使用法では先端部をスライドさせる為、円形である方がスライドさせやすくちょうど良い形状と言える。もちろん、ヒーター２Ａとして採用したニクロム線の断面は、使用用途に応じて（若干の平坦部を有する）断面長円状であってもよく、特に限定しない。【００２１】  また、発熱器具１はヒーター２Ａにより空間Ｐが形成されていることで、これから変色させようとする部分が非常に見やすいと言う効果も得られる。したがって、変色させる部分と変色している様子を見ながら作業することができるので、ミスすることなく心地よく作業することができる。【００２２】  なお、発熱器具１は、先端部２を、ヒーター２Ａ部分を覆う様なカバー又はキャップを付けた形状にしても良く、さらに、ノック式にして使用時に先端部のヒーター部分が飛び出る構造としても良く、またポケットに入れている様な不使用時には、スイッチが入らないような、安全保護装置を施しておけば、安全に使用することができる。
【実施例２】
【００２３】  図３に示す実施例２における発熱器具１は、ヒーター２Ａの折り曲げ方が実施例１と相違し、ほかは実施例１と同じである。実施例２における発熱器具１は、ヒーター２Ａにおいて、実施例１における短直線部２ａと中直線部２ｂに微直線部２２ａが形成されている。つまり、実施例２の発熱器具１は、短直線部２２ａの一方端部に連続して所定角度で微直線部２２ａが、短直線部２２ｂの他方端部に連続して所定角度で長直線部２２ｄが、そして、微直線部２２ａの短直線部２２ｂとは反対側の端部に中直線部２２ｃがそれぞれ同一平面に連続して設けられている。【００２４】  このようにすれば、実施例１と同様の作用効果が得られるのはもちろんのこと、微直線２２ａが加わったことでさらに操作の選択肢が広がり、一層使いやすくなる。
【実施例３】
【００２５】  図５に示す実施例３における発熱器具１は、ヒーター２Ａの折り曲げ方が実施例１と相違し、他は実施例１と同じである。実施例３における発熱器具１はヒーター２Ａにおいて、実施例１における短直線部２ａ、中直線部２ｂ、長直線部２ｃと同様の短直線部２３ａ、中直線部２３ｂ、長直線部２３ｃが設けられているが、さらに中直線部２３ｂの短直線部２３ａとは反対側の他方端部に、長々直線部２３ｄが、短直線部２３ａ、中直線部２３ｂ、長直線部２３ｃ、で区切られる平面内とは別方向に曲げた状態で設けられている。【００２６】  このようにすれば、実施例１と同様の作用効果が、得られるのはもちろんのこと、様々な直線部分を同一平面上に限られず、多くの空間に設ける事ができ、先端部Ａの形状を多様な形状にすることが可能となり、より一層使いやすくなる。
【符号の説明】
【００２７】１      （変色筆記具用）発熱器具
２      先端部
２Ａ    ヒーター
２ａ    短直線部
２ｂ    中直線部
２ｃ    長直線部
３      胴体部
３ａ    押しボタンスイッチ
２２ａ  微直線部
２２ｂ  短直線部
２２ｃ  中直線部
２２ｄ  長直線部
２３ａ  短直線部
２３ｂ  中直線部
２３ｃ  長直線部
２３ｄ  長々直線部
Ｐ      空間
【図１】
0003161302.tif 000003
【図２】
0003161302.tif 000004
【図３】
0003161302.tif 000005
【図４】
0003161302.tif 000006